(57)【要約】【課題】カップ用の断熱部材として、熱い内容物を収納したカップに簡単に装着することができ、手で持つことができ、高い宣伝効果も有している製造コストの安い紙製のカップ用断熱部材を提供することにある。【解決手段】本発明は、紙を材料とし、逆円錐台形状のカップの胴部に装着する逆円錐台形状の筒状の断熱部材であって、対向する両側に縦線状に突出した一対の保持部を設けたことを特徴とするカップ用断熱部材であり、扇形に打ち抜いた一枚のブランクの両縁部を貼り合わせて一方の保持部を形成し、ブランクの中央部を折り曲げて貼り合わせて他方の保持部を形成したことを特徴とし、また、このカップ用断熱部材に、該カップ用断熱部材が装着されるカップの商品と全く無関係の他の商品を広告宣伝する文字、図形、記号、絵柄等からなる印刷画像表示部を形成したことを特徴とする。【選択図】図１
2004196399.tif 000002
【特許請求の範囲】
【請求項１】
紙を材料とし、逆円錐台形状のカップの胴部に装着する逆円錐台形状の筒状の断熱部材であって、対向する両側に縦線状に突出した一対の保持部を設けたことを特徴とするカップ用断熱部材。
【請求項２】
扇形に打ち抜いた一枚のブランクの両縁部を貼り合わせて一方の前記保持部を形成し、前記ブランクの中央部を折り曲げて貼り合わせて他方の保持部を形成したことを特徴とする請求項１に記載のカップ用断熱部材。
【請求項３】
扇形に打ち抜いた二枚のブランクの両縁部同士を貼り合わせて一対の前記保持部を形成したことを特徴とする請求項１に記載のカップ用断熱部材。
【請求項４】
前記カップ用断熱部材に、該カップ用断熱部材が装着される前記カップの商品と全く無関係の他の商品を広告宣伝する文字、図形、記号、絵柄等からなる印刷画像表示部を形成したことを特徴とする請求項１乃至３のいずれかに記載のカップ用断熱部材。
【発明の詳細な説明】
【０００１】
【発明の属する技術分野】
本発明は、加熱された内容物を収納した後にカップ等に装着して保持する断熱部材に関するものであり、さらに詳しくは、商品を購入した人に、広告宣伝したい商品を確実に知らせ、その関心を引き付けることができる広告付きのカップ用断熱部材に関するものである。
【０００２】
【従来の技術】
従来より、紙カップ等のカップ容器に加熱された内容物を収納したカップ等を手で持つことができるように、取っ手部をカップの胴部に貼着した形状、段ボール等の断熱性を有する材料をカップ本体の外周に巻き付けた形状、あるいは、カップの表面を発泡させた形状等のカップが使用されている。そして、従来の断熱性を有する外筒、取っ手などのカップ用断熱部材では、外面に収納した内容物の絵柄、商品説明、使用説明などからなる印刷画像表示部を形成している。
【０００３】
【発明が解決しようとする課題】
しかしながら、取っ手部をカップの胴部に貼着した形状のカップは、あらかじめ取っ手部をカップの胴部に貼着するため、加工工程が必要であり、スタッキング適性が悪くなる。段ボール等の断熱性を有する材料をカップ本体の外周に巻き付けた形状で断熱性を持たせたカップは、胴部の厚みが必要以上に厚く仕上がりスタッキング適性を無くしたり、表面の凹凸があることによって表面に印刷された文字、図柄等は非常に見にくくなり、高級感のある意匠を持たせることが難しくなるという問題がある。また、カップの表面を発泡させた形状のカップも、発泡させる加工工程が必要であり、表面の凹凸によって表面に印刷された文字、図柄等は非常に見にくくなり、高級感のある意匠を持たせることが難しくなるという問題がある。また、種々の商品の広告宣伝効果を高める手段として直接一人一人へ伝達する広告宣伝媒体として、カップ用断熱部材が装着されるカップに収納される商品と全く無関係の他の商品を広告宣伝する文字、図形、記号、絵柄等からなる印刷画像表示部を形成したものが要望されている。
【０００４】
この要求に対して、商品を充填包装した包装容器の外面、あるいは、個包装した商品を充填包装した包装容器の外面に、該包装容器内に充填包装された商品と全く無関係の他の広告宣伝する文字、図形、記号、絵柄等からなる印刷画像表示を形成する広告宣伝媒体については、すでに提案されている（例えば、特許文献１参照。）。
【０００５】
【特許文献１】
特開平１０−２６８８１７号公報
【０００６】
しかしながら、上記の提案では、商品を充填包装した包装容器の外面、あるいは、個包装した商品を充填包装した包装容器の外面に、適応されるものであり、包装容器とは別部材であって、加熱された内容物に適応し、包装容器に装着して使用する断熱性を有するカップ用断熱部材については、言及されていない。
【０００７】
本発明は、前述の問題点に鑑みてなされたもので、カップ用の断熱部材として、熱い内容物を収納したカップに簡単に装着することができ、手で持つことができ、高い宣伝効果も有している製造コストの安い紙製のカップ用断熱部材を提供することを目的とするものである。
【０００８】
【課題を解決するための手段】
前記目的を達成するためになされた本発明のカップ用断熱部材は、紙を材料とし、逆円錐台形状のカップの胴部に装着する逆円錐台形状の筒状の断熱部材であって、対向する両側に縦線状に突出した一対の保持部を設けたことを特徴とするカップ用断熱部材であり、扇形に打ち抜いた一枚のブランクの両縁部を貼り合わせて一方の前記保持部を形成し、前記ブランクの中央部を折り曲げて貼り合わせて他方の保持部を形成したこと、あるいは、扇形に打ち抜いた二枚のブランクの両縁部同士を貼り合わせて一対の前記保持部を形成したことを特徴とする。
【０００９】
また、前記カップ用断熱部材に、該カップ用断熱部材が装着される前記カップの商品と全く無関係の他の商品を広告宣伝する文字、図形、記号、絵柄等からなる印刷画像表示部を形成したことを特徴とする。
【００１０】
本発明によれば、カップ用の断熱部材として、熱い内容物を収納したカップに簡単に装着することができ、手で持つことができ、カップ用断熱部材が装着されるカップに収納される商品と全く無関係の他の商品を広告宣伝する文字、図形、記号、絵柄等からなる印刷画像表示部を形成することにより、使用者一人一人に対しての宣伝効果も有している製造コストの安い紙製のカップ用断熱部材を提供することができるものである。
【００１１】
【発明の実施の形態】
本発明のカップ用断熱部材の実施の形態について図面を参照して説明する。図１は、本発明のカップ用断熱部材の実施の形態の一実施例の折り畳まれた状態、起こした状態、そして、カップに装着した状態を示す斜視図であり、図２は、本発明のカップ用断熱部材を形成するブランクの一例を示す展開図であり、図３は、本発明のカップ用断熱部材をブランクから作製する方法を説明する図であり、図４は、本発明のカップ用断熱部材を形成するブランクの別の例を示す展開図である。
【００１２】
図１は、本発明のカップ用断熱部材の実施の形態の一実施例の折り畳まれた状態、起こした状態、そして、カップに装着した状態を示す斜視図である。本発明のカップ用断熱部材１は、図１−ｂに示すように、逆円錐台形状の筒状であり、胴部２の対向する二ヶ所に縦線状の保持部３、４が突出して設けられている。この保持部３、４は胴部２を部分的に一部を貼り合わせて外側方向にほぼ直角に突出するように形成している。このカップ用断熱部材１は、胴部２の形状を逆円錐台形状の筒状のカップ１１の胴部１２の形状に合わせることにより、図１−ｃに示すように、カップ１１の胴部１２に簡単に嵌入することができ、また、カップ１１に熱い内容物を収容した場合でも、この保持部３、４を指で持つことにより、熱さを感じることなくカップ１１を手で持つことができる。
【００１３】
本発明のカップ用断熱部材１は、図１−ｃに示すように、ファーストフードの店頭等で熱せられた飲料等が注がれた紙カップ等に装着され、そのカップ用断熱部材１の表面側に、その店、あるいは内容物の商品を表す絵柄等、所定の表示事項等を表す文字、図形、記号、絵柄等と全く無関係である、例えば、自動車、携帯電話、テレビ、パソコン、電気製品等の他の商品を広告宣伝する他の商品の商品名ｘ、その他の商品を表す絵柄ｙ、その他の商品の性能、製造者等を表示する欄ｚ等の他の商品を表す文字、図形、記号、絵柄等からなる印刷画像表示部Ａを形成して、本発明のカップ用断熱部材１が構成されているものである。
【００１４】
すなわち、カップ用断熱部材１は、使用前の段階では、図１−ａに示すように、折り畳まれた状態であり、使用時に、図１−ｂに示すように、起こしてテーパーを有する筒状とし、紙カップ等に装着する構造である。このカップ用断熱部材１を装着することによって、加熱された内容物を入れたカップ１１であっても、手で持つことができる。
【００１５】
図２は、本発明のカップ用断熱部材を形成するブランクの一例を示す展開図である。ブランク１０Ａは、図２に示すように、板紙を扇状に打ち抜いたものであって、その左右両縁部である折れ線ａおよび折れ線ｂの外側部分は保持部貼り合わせ面Ｍ、Ｍ′（斜線領域）とし、この保持部貼り合わせ面Ｍ、Ｍ′を合掌貼りすることにより、一方の保持部３を形成することができる。また、中央部には、内側に折り曲げる折れ線ｃが設けられ、その折れ線ｃの両側に外側に折り曲げる折れ線ｄ、ｅを設け、折れ線ｃと折れ線ｄの間の部分、折れ線ｃと折れ線ｅの間の部分を保持部貼り合わせ面Ｎ、Ｎ′（斜線領域）とし、この保持部貼り合わせ面Ｎ、Ｎ′を貼り合わせることにより、もう一方の保持部４を形成することができる。
【００１６】
つぎに、本発明のカップ用断熱部材１をブランク１０Ａから作製するには、まず、図３−ａに示すように、中央部の折れ線ｃで内側に折り曲げて、両縁部の保持部貼り合わせ面Ｍ、Ｍ′を貼り合わせて、一方の保持部３を形成する。同時に、折れ線ｃの両側の保持部貼り合わせ面Ｎ、Ｎ′を貼り合わせることにより、もう一方の保持部４を形成し、折り畳まれた偏平の状態のカップ用断熱部材１を作製することができる。この折り畳まれた偏平の状態で運搬、保管などを行うことができる。
【００１７】
図４は、本発明のカップ用断熱部材を形成するブランクの他の例を示す展開図である。この場合、同形の二つのブランク１０Ｂ、１０Ｂ′からなり、ブランク１０Ｂは、図４に示すように、板紙を扇状に打ち抜いたものであって、その左右両縁部には折れ線ｆ、ｇを設け、折れ線ｆの外側部分を保持部貼り合わせ面Ｏ、折れ線ｇの外側部分を保持部貼り合わせ面Ｐとし、もう一方のブランク１０Ｂ′にも左右両縁部には折れ線ｈ、ｉを設け、折れ線ｈの外側部分を保持部貼り合わせ面Ｏ′、折れ線ｉの外側部分を保持部貼り合わせ面Ｐ′としている。
【００１８】
つぎに、本発明のカップ用断熱部材１をブランク１０Ｂ、１０Ｂ′から作製するには、まず、ブランク１０Ｂとブランク１０Ｂ′の内面同士を合わせて、両縁部同士である保持部貼り合わせ面Ｏと保持部貼り合わせ面Ｏ′、保持部貼り合わせ面Ｐと保持部貼り合わせ面Ｐ′を貼り合わせて、保持部３および保持部４を形成し、折り畳まれた偏平の状態のカップ用断熱部材１を作製することができる。この折り畳まれた偏平の状態で運搬、保管などを行うことができる。
【００１９】
なお、本発明のカップ用断熱部材１の保持部３、４の高さは、１〜５ｍｍの範囲が好ましく、１ｍｍ未満の場合は、手でもった時に、熱さを感じやすく、５ｍｍを超えた場合は、指で持ちにくくなる。また、保持部３、４には、図５に示すように、指で持ちやすいように、凹部Ｕを設けてもよい。
【００２０】
本発明のカップ用断熱部材１に使用する材料としては、段ボールなどの断熱性を有する材料である必要はなく、適度な剛性を有する材料、例えば板紙を使用することができる。また、あらかじめ板紙の内面に熱接着性のある熱可塑性樹脂などをコーティンあるいはラミネートした積層体を使用することもできる。
【００２１】
本発明のカップ用断熱部材１に使用する板紙は、印刷適性と適度な剛性が要求され、坪量１５０〜５００ｇ／ｍ2のコートボール紙、あるいは１５０〜５００ｇ／ｍ2のカード紙が好適に使用できる。坪量が、この限度未満であると保持部３、４自体の剛性が低くなりすぎて、持ちにくくなり、またこの限度を越えると、剛性は高くなるが、加工適正が悪化し、材料コストも高くなるので好ましくない。
【００２２】
本発明によるカップ用断熱部材１を、実際に、店頭や家庭で使用する場合には、使用者は、図１−ａに示すような扁平状のものを折れ線ａ、ｂ、ｄ、ｅあるいは折れ線ｆ、ｇ、ｈ、ｉを折り曲げながら筒状に起こして広げて立体化するだけで、保持部３、４を有する逆円錐台形状の筒状になり、内容物を収容したカップ１１に鉛直に図１−ｃに示すように、カップ１１の胴部１２に密着した状態で良好に嵌入支持することができ、そして、カップ用断熱部材１の対向する両側に突出する保持部３、４を指で挟むように持つことにより、熱さを感じることなく手で持つことができ、カップ１１内の加熱された熱い飲料や食品を手指に熱く感じることなく飲用したり、食することができる。
【００２３】
なお、保持部貼り合わせ面Ｍ、Ｍ′および保持部貼り合わせ面Ｎ、Ｎ′、保持部貼り合わせ面Ｏ、Ｏ′および保持部貼り合わせ面Ｐ、Ｐ′の貼り合わせは、接着剤を使用してもよいが、あらかじめ内面にポリエチレン樹脂などの熱接着性を有する材料を使用した場合には、熱シールにより貼り合わせることができる。
【００２４】
また、別の使用方法として、あらかじめ、本発明のカップ用断熱部材１をカップの胴部１２に装着しておいてもよく、その場合には、保持部３、４を折り曲げておくことにより、スタッキングして多数を嵩張ることなく重合集積でき、製造元から食品メーカまで効率よく運搬できると共に、食品メーカでは、カップ１１内に加熱調理済乾燥食品等を収納して販売する。
【００２５】
購入者は、カップ１１内の即席食品に熱湯を注いで食するのであるが、この際にカップ１１に装着したカップ用断熱部材１を手で持ってカップ１１内の食品を食することができる。
【００２６】
さらに別の使用方法として、カップ１１内に内容物を収納し、折り畳まれた本発明のカップ用断熱部材１を別添として販売し、購入者が、使用する時に、カップ用断熱部材１を起こしてカップ１１に嵌入する方法がある。
【００２７】
使用済の容器は、紙製であり、カップ１１から簡単に脱着して廃棄することができ、環境対応の観点からも問題のないものである。
【００２８】
本発明によるカップ用断熱部材１は、凹凸がなく表面は、あくまでスムーズであり、また、印刷の自由度が高く、オフセット、グラビア、フレキソ等の公知の印刷のみならず、各種オーバーコーティング、箔押し、エンボッシング等の印刷後加工も自由に施すことができるので、優れた美粧効果を発揮することができる。さらに、カップ用断熱部材１の表面はＯＰニス等のオーバーコーティング層によって濡れにくく、汚れにくくすることができる。
【００２９】
【発明の効果】
本発明のカップ用断熱部材は、カップ用の断熱部材として、熱い内容物を収納したカップに簡単に装着することができ、手で持つことができるという効果を持っている。また、カップ用断熱部材が装着されるカップに収納される商品と全く無関係の他の商品を広告宣伝する文字、図形、記号、絵柄等からなる印刷画像表示部を形成することにより、使用者一人一人に対しての宣伝効果も有している。さらに、製造コストの安く、廃棄しやすく、リサイクルも可能であるので、環境負荷の低減に貢献することができるという効果も有している。
【図面の簡単な説明】
【図１】本発明のカップ用断熱部材の実施の形態の一実施例の折り畳まれた状態、起こした状態、そして、カップに装着した状態を示す斜視図である。
【図２】本発明のカップ用断熱部材を形成するブランクの一例を示す展開図である。
【図３】本発明のカップ用断熱部材をブランクから作製する方法を説明する図である
【図４】本発明のカップ用断熱部材を形成するブランクの別の例を示す展開図である。
【図５】本発明のカップ用断熱部材の実施の形態の別の実施例を示す斜視図である。
【符号の説明】
１    本発明のカップ用断熱部材
２    胴部
３    保持部
４    保持部
１１    カップ
１２    胴部
Ａ    他の商品を表す文字、図形、記号、絵柄等からなる印刷画像表示部
ｘ    他の商品の商品名
ｙ    他の商品を表す絵柄
ｚ    他の商品の性能、製造者等を表示する欄
Ｍ    保持部貼り合わせ面
Ｍ′  保持部貼り合わせ面
Ｎ    保持部貼り合わせ面
Ｎ′  保持部貼り合わせ面
Ｏ    保持部貼り合わせ面
Ｏ′  保持部貼り合わせ面
Ｐ    保持部貼り合わせ面
Ｐ′  保持部貼り合わせ面
Ｕ    凹部
ａ〜ｉ  折れ線
【図１】
2004196399.tif 000003
【図２】
2004196399.tif 000004
【図３】
2004196399.tif 000005
【図４】
2004196399.tif 000006
【図５】
2004196399.tif 000007